(57)【要約】【課題】    ディスクメディアとケースとが一致認識できるディスクカートリッジを得る。【解決手段】  ディスクメディア１２及びケース１４に、それぞれＩＤ番号を記したＩＤシール９２、９４を貼着すると共に、ディスクメディア１２のＩＤ番号とケース１４のＩＤ番号を一致させるようにすることで、ディスクメディア１２とケース１４とを一対一対応させることができる。これにより、異なるケース１４内にディスクメディア１２を誤って収納させることはなく、ディスクメディア１２に対応するケース１４内にディスクメディア１２を収納させることができるので、ケース１４内に収納させたディスクメディア１２をハンドリングする際において、ディスクメディア１２の記録／再生履歴などの品質を維持することができる。【選択図】        図１
2005267784.tif 000002
【特許請求の範囲】
【請求項１】
ドライブ装置に装填され情報が記録再生されるディスクメディアと、前記ディスクメディアを回転可能に収納すると共にディスクメディアが出し入れ可能なケースと、を備え、
前記ディスクメディアと前記ケースとが対応しているか否か判断できる一致認識手段が設けられたことを特徴とするディスクカートリッジ。
【請求項２】
前記一致認識手段が、前記ディスクメディア及び前記ケースに設けられたＩＤマークであることを特徴とする請求項１に記載のディスクカートリッジ。
【請求項３】
前記ＩＤマークが、前記ディスクメディア及び前記ケースに目視可能に印刷されたことを特徴とする請求項２に記載のディスクカートリッジ。
【請求項４】
前記ＩＤマークが、前記ディスクメディアの印刷面及び前記ケースの上面に設けられたことを特徴とする請求項３に記載のディスクカートリッジ。
【請求項５】
前記一致認識手段が、前記ディスクメディア及び前記ケースに設けられ外部から読取りが可能な半導体メモリであることを特徴とする請求項１に記載のディスクカートリッジ。
【請求項６】
前記ケースが上シェルと下シェルで構成され、
前記下シェルに設けられ、前記ディスクメディアへドライブ装置の記録再生ヘッドがアクセス可能とするヘッド開口部と、
前記ケース内に前記ディスクメディアと同軸的に設けられた第１シャッターと、前記第１シャッターとは異なる軸回りに回動可能な第２シャッターとが互いに協働して反対方向に回動することにより前記ヘッド開口部を開閉するシャッター機構と、
前記上シェルに形成され、前記ディスクメディアを出し入れ可能なディスク開口部と、
前記上シェルに軸支され、前記ディスク開口部を通じて前記ディスクメディアを前記第１シャッター側へ押圧する押さえ部材と、
を備えたことを特徴とする請求項１〜５の何れか１項に記載のディスクカートリッジ。
【発明の詳細な説明】
【技術分野】
【０００１】
本発明は、ドライブ装置に装填され、情報が記録再生されるディスクメディアが収納されたディスクカートリッジに関するものである。
【背景技術】
【０００２】
光ディスクや光磁気ディスク等のディスクメディアは、記録又は再生を行う際には、ドライブ装置に装填された状態で回転し、記録ヘッドによってレーザー光又はレーザー光と磁場の両者が記録層へ照射されることで、記録層の分解及び／又は昇温によるピット形成や相変化、磁化反転等によって情報の記録がなされ、又はレーザー光の反射率や偏光角の相違を再生ヘッドで読み取って記録された情報の再生が行われるようになっている。
【０００３】
例えば、特許文献１では、ディスクメディアのレーベル面を露出させると共に、ディスクメディアを収納した状態でディスクメディアのガタツキを無くし、ディスクメディアへの塵埃の付着を防止するディスクカートリッジが提案されている。
【０００４】
このようなディスクカートリッジは、ディスクメディアがケースに対して着脱可能に収納されており、ディスクメディアに記録された情報が、例えば、ＤＶＤ−ＲＯＭ（再生専用のＤＶＤメディア）の場合、簡易的な再生装置を保有する一般的なユーザがディスクメディアをケースから取出した状態で再生を行なうことを可能にする。
【０００５】
一方、ディスクメディアが記録可能な媒体、例えば、ＤＶＤ−Ｒ（追記的に一度だけ書込みができるＤＶＤメディア）、ＤＶＤ−ＲＷ（繰返し書換えが可能なＤＶＤメディア）などである場合、特定の記録装置を保有するユーザ（専門業者やヘビーユーザ）がディスクメディアをケース内に収納した状態でディスクメディアの記録を行ない、一般的なユーザ（一般ユーザ）がディスクメディアを再生することとなる。例えば、子供の成長記録等においては、専門業者による追加記録が行われる場合もあり、この場合、ディスクメディアが専門業者と一般ユーザとの間を往復する。
【０００６】
このように、ディスクメディアを使用するユーザが変わる場合、記録時の信頼性（記録品位）の向上のため、ディスクメディアを直接ハンドリングすることは望ましいことではなく、ディスクメディアをケース内に収納した状態でハンドリングすることが望まれる。
【０００７】
しかしながら、ケースによっては若干仕様も異なるため、該ディスクメディアを収納していたケース以外のケース内にディスクメディアを収納してハンドリングした場合、ディスクメディアの記録／再生履歴が失われるなど品質維持が損なわれてしまう場合も考えられる。
【特許文献１】特開２００３−２４２７４０号公報
【発明の開示】
【発明が解決しようとする課題】
【０００８】
本発明は上記事実を考慮し、ディスクメディアとケースとが一致認識できるディスクカートリッジを得ることを目的としている。
【課題を解決するための手段】
【０００９】
請求項１に記載の発明は、ディスクカートリッジにおいて、ドライブ装置に装填され情報が記録再生されるディスクメディアと、前記ディスクメディアを回転可能に収納すると共にディスクメディアが出し入れ可能なケースと、を備え、前記ディスクメディアと前記ケースとが対応しているか否か判断できる一致認識手段が設けられたことを特徴としている。
【００１０】
請求項１に記載の発明では、情報が記録再生されるディスクメディアをケースに対して出し入れ可能としている。ここで、記録再生されるディスクメディアは、再生専用ディスクメディア（例えば、ＤＶＤ−ＲＯＭなど）、一回のみ記録可能なディスクメディア（例えば、ＤＶＤ−Ｒ、ＤＶＤ＋Ｒなど）、および繰り返し記録可能なディスクメディア（例えば、ＤＶＤ−ＲＷ、ＤＶＤ−ＲＯＭなど）を包含する。
【００１１】
このディスクメディアとケースとが対応しているか否か判断できる一致認識手段を設けることで、異なるケース内に、一旦取出されたディスクメディアを誤って再収納させることはなく、ディスクメディアに対応するケース内にディスクメディアを収納させることができるため、ケース内に収納させたディスクメディアの記録／再生履歴などの品質を維持することができる。
【００１２】
請求項２に記載の発明は、請求項１に記載のディスクカートリッジにおいて、前記一致認識手段が、前記ディスクメディア及び前記ケースに設けられたＩＤマークであることを特徴としている。
【００１３】
請求項２に記載の発明では、ディスクメディア及びケースにＩＤマーク（いわゆる識別マーク）を設けることで、ディスクメディアとケースとの一致認識を図ることができる。例えば、ディスクメディアとケースとで、製造履歴等の情報を有する番号を同じにし、該番号をそれぞれ記すことで、ディスクメディアとケースとを対応させることができると共に、ディスクメディアとケースとが対応していない場合もすぐに判断することができる。
【００１４】
請求項３に記載の発明は、請求項２に記載のディスクカートリッジにおいて、前記ＩＤマークが、前記ディスクメディア及び前記ケースに目視可能に印刷されたことを特徴としている。
【００１５】
請求項３に記載の発明では、ディスクメディアの印刷面又は非印刷面、ケースの上面、下面又は側面にＩＤマークをそれぞれ目視可能に印刷することで、ディスクメディアとケースとが対応しているか否かを目視によって容易に判断することができる。
【００１６】
請求項４に記載の発明は、請求項３に記載のディスクカートリッジにおいて、前記ＩＤマークが、前記ディスクメディアの印刷面及び前記ケースの上面に設けられていることを特徴としている。
【００１７】
請求項４に記載の発明では、ディスクメディアの印刷面及びケースの上面にＩＤマークを設けることで、ケース内にディスクメディアを収納させるとき、或いはケース内にディスクメディアが収納された状態で、ディスクメディアとケースとが対応しているか否かを判断することができる。
【００１８】
請求項５に記載の発明は、請求項１に記載のディスクカートリッジにおいて、前記一致認識手段が、前記ディスクメディア及び前記ケースに設けられ外部から読取りが可能な半導体メモリであることを特徴としている。
【００１９】
請求項５に記載の発明では、ディスクメディア及びケースに、外部から読取りが可能な半導体メモリを設けることで、ディスクメディア或いはケースの製造履歴などによる情報量が多い場合でも情報を記憶することができる。また、例えば、ディスクメディアを収納したケースをドライブ装置に挿入した状態で、ディスクメディアとケースとが対応しているか否かを自動的に判断することができる。
【００２０】
請求項６に記載の発明は、請求項１〜５の何れか１項に記載のディスクカートリッジにおいて、前記ケースが上シェルと下シェルで構成され、前記下シェルに設けられ、前記ディスクメディアへドライブ装置の記録再生ヘッドがアクセス可能とするヘッド開口部と、前記ケース内に前記ディスクメディアと同軸的に設けられた第１シャッターと、前記第１シャッターとは異なる軸回りに回動可能な第２シャッターとが互いに協働して反対方向に回動することにより前記ヘッド開口部を開閉するシャッター機構と、前記上シェルに形成され、前記ディスクメディアを出し入れ可能なディスク開口部と、前記上シェルに軸支され、前記ディスク開口部を通じて前記ディスクメディアを前記第１シャッター側へ押圧する押さえ部材と、を備えたことを特徴としている。
【００２１】
請求項６に記載の発明では、ケースを上シェルと下シェルで構成し、下シェルには、ディスクメディアへドライブ装置の記録再生ヘッドがアクセス可能とするヘッド開口部を形成している。また、ケース内にディスクメディアと同軸的に設けられた第１シャッターと、第１シャッターとは異なる軸回りに回動可能な第２シャッターとでシャッター機構を構成し、第１シャッターと第２シャッターとが互いに協働して反対方向に回動することによりヘッド開口部を開閉するようにしている。
【００２２】
一方、上シェルには、ディスクメディアを出し入れ可能なディスク開口部を形成している。また、上シェルには押さえ部材を軸支しており、ディスク開口部を通じてディスクメディアを第１シャッター側へ押圧可能としている。
【００２３】
これにより、ディスクカートリッジをドライブ装置に装填している間は、ドライブ装置の記録再生ヘッドがカートリッジ内のディスクメディアにアクセス可能である一方、ドライブ装置外では、外部から遮断された密閉空間にディスクメディアが保管される状態を維持することができるので、外部からの塵埃がディスクメディアの記録面（下面側）に付着して情報の記録再生に支障をきたす恐れが低減される。
【発明の効果】
【００２４】
本発明は、上記構成としたので、請求項１に記載の発明では、ディスクメディアとケースとが対応しているか否か判断できる一致認識手段を設けることで、異なるケース内に、一旦取出されたディスクメディアを誤って再収納させることはなく、ディスクメディアに対応するケース内にディスクメディアを収納させることができるため、ケース内に収納させたディスクメディアの記録／再生履歴などの品質を維持することができる。
【００２５】
請求項２に記載の発明では、ディスクメディア及びケースにＩＤマークを設けることで、ディスクメディアとケースとの一致認識を図ることができる。
【００２６】
請求項３に記載の発明では、ディスクメディアとケースとが対応しているか否かを目視によって容易に判断することができる。
【００２７】
請求項４に記載の発明では、ケース内にディスクメディアを収納させるとき、或いはケース内にディスクメディアが収納された状態で、ディスクメディアとケースとが対応しているか否かを判断することができる。
【００２８】
請求項５に記載の発明では、ディスクメディア或いはケースの製造履歴などによる情報量が多い場合でも情報を記憶することができる。また、例えば、ディスクメディアを収納したケースをドライブ装置に挿入した状態で、ディスクメディアとケースとが対応しているか否かを自動的に判断することができる。
【００２９】
請求項６に記載の発明では、ディスクカートリッジをドライブ装置に装填している間は、ドライブ装置のヘッドがカートリッジ内のディスクメディアにアクセス可能である一方、ドライブ装置外では、外部から遮断された密閉空間にディスクメディアが保管される状態に維持することができるので、外部からの塵埃がディスクメディアの記録面（下面側）に付着して記録再生に支障をきたす恐れが低減される。
【発明を実施するための最良の形態】
【００３０】
以下、本発明の一実施形態について、図面に示す実施例を基に詳細に説明する。なお、図２において示す矢印Ａは、ディスクカートリッジ１０のディスクドライブ装置（以下、単に「ドライブ装置」という）への装填方向を示しており、説明の便宜上、矢印Ａで示す側を前側とする。そして、矢印Ａと直交する矢印Ｂで示す方向を上側、矢印Ａ及び矢印Ｂと直交する矢印Ｃで示す方向を右側とする。また、以下において、本発明における「保存時」を「不使用時」、「動作時」を「使用時」として説明する場合がある。
【００３１】
図１〜図３で示すように、ディスクカートリッジ１０は、円盤状に形成された情報記録再生媒体としてのディスクメディア１２と、ディスクメディア１２を収容するケース１４と、ディスクメディア１２へアクセスするためにケース１４の下面に設けられた開口２０を開閉可能なインナーロータ１６及び第２シャッター部材１８と、インナーロータ１６の回動と連動して上下動するディスク受け２２と、ディスクメディア１２の保存時に、ディスクメディア１２がケース１４の上面に設けられたディスク開口部３５から脱落しないように保持するディスク押さえ２４とで主に構成されている。
【００３２】
なお、ディスクカートリッジ１０の不使用時（ディスクメディア１２の保存時）に、インナーロータ１６の回動を阻止して開口２０の閉塞状態を維持するロック部材も設けられているが、これについての図示及び説明は省略する。
【００３３】
まず、ディスクメディア１２について説明する。
【００３４】
図４に示すように、ディスクメディア１２は、基板１１と、情報の再生時に反射率を向上させる反射層１３と、情報が記録される記録層１５と、レーザ光を透過させる光透過層１７と、で構成されており、基板１１の表面には、印刷層１９が設けられている。
【００３５】
印刷層１９には、例えばディスクメディア１２のコンテンツ等を印刷することで、ユーザーは、ディスクメディア１２の内容を容易に把握することができる。さらに、印刷層１９の意匠性を高めることで、ディスクカートリッジ１０全体の意匠性を向上させることができる。
【００３６】
また、印刷層１９と基板１１の間には、防湿層（アルミスパッタ等）２１が設けられている。基板１１側は、後述するように、ディスク開口部３５によって常に外部へ露出しているため、印刷層１９と基板１１の間に防湿層２１を設けることで、基板１１の吸湿を防止することができる。
【００３７】
一方、ディスクメディア１２の軸心部には、円形のセンター孔１２Ａが穿設されており、センター孔１２Ａと記録面１２Ｂ（記録層１５と対面する光透過層１７の領域）との間の領域は、ドライブ装置の回転スピンドル軸がディスクメディア１２を保持するためのチャッキングエリア１２Ｃとされている。なお、本実施例では、ディスクメディア１２の直径（外径）は略１２０ｍｍとされている。
【００３８】
このチャッキングエリア１２Ｃには、非記録面１２Ｄ側（いわゆる印刷面側）に、一致認識手段としてのＩＤシール９２が貼着されている。このＩＤシール９２には製造履歴等の情報を有するＩＤ番号等の識別データが記されており（ＩＤマーク）、例えば、ＩＤ番号では連番となって、一つの番号に対して一つのディスクメディア１２のみ対応するようになっている。なお、ＩＤシール９２には製造履歴等の情報が識別できる識別データが記されていれば良いため、番号に限るものではなく、記号等であっても良い。
【００３９】
次に、ケース１４について説明する。
【００４０】
図２、図３で示すように、ケース１４は、合成樹脂製の上シェル２６と下シェル２８とを接合してなる略矩形扁平容器状に構成されている。具体的には、ケース１４は、平面視で、前縁部が左右略対称の円弧状に形成され、後端両隅角部が斜めに切り欠かれた形状に形成されており、この形状によってドライブ装置への誤装填が防止されるようになっている。
【００４１】
上シェル２６は、平面視でケース１４の形状に対応した形状の天板３０と、天板３０の外周縁部に沿って下方に立設された外周壁３２と、を備えており、外周壁３２の右壁には、略矩形状の切欠部３２Ａが形成されている。
【００４２】
一方、天板３０には、ディスクメディア１２の外径よりも若干大径（ディスクメディア１２が回転しても接触しない程度の大きさ）の円形孔とされたディスク開口部３５が穿設されている。このように、上シェル２６の天板３０に、ディスク開口部３５が設けられたことにより、上方への膨出部分は形成されないため、ディスク開口部３５が形成されていない密閉型ディスクカートリッジのケースよりもケース１４は薄く構成できる利点がある。
【００４３】
ディスク開口部３５の内周縁部には、下方に向けて所定高さの内周壁３４が立設されており、内周壁３４の内側には、ディスクメディア１２が回転可能に収容されるようになっている。このディスク開口部３５によって、ケース１４へのディスクメディア１２の挿入、ケース１４からのディスクメディア１２の取り出しが可能となっている。
【００４４】
また、天板３０の上面後部側には、一致認識手段としてのＩＤシール９４が貼着されている。このＩＤシール９４には製造履歴等の情報を有するＩＤ番号等の識別データが記されており（ＩＤマーク）、例えば、ＩＤ番号の場合、ディスクメディア１２と同じ番号となり、一つのディスクメディア１２に対して一つのケース１４のみ対応するようになっている。
【００４５】
さらに、天板３０の後部側には、ディスク押さえ２４のアーム部８２、８４を許容する切欠部３０Ａ、３０Ｂが形成されている。そして、一方（右方）の切欠部３０Ｂよりも後側で、かつ外方側の天板３０の内面には、後述する付勢手段としてのコイルばね９０の一端に形成された略環状のフック９０Ａを係止する係止ピン３８が突設されている。
【００４６】
ここで、切欠部３０Ｂは、係止ピン３８側が切欠部３０Ａよりも幅広に切り欠かれており、後述するディスク押さえ２４がディスクメディア１２の取出位置へ回動したときに、コイルばね９０の移動を許容するようになっている。
【００４７】
また、図３及び図５で示すように、天板３０の後部側内面で、切欠部３０Ａ、３０Ｂの間には、アーム部８２、８４に設けられた軸部８６が外れないように、下シェル２８に突設された軸受け５６と対をなして回動自在に保持する軸押さえ３６が所定間隔を隔てて突設されている（後述する）。
【００４８】
一方、下シェル２８は、天板３０に略対応した形状の底板４０と、上シェル２６の外周壁３２に対応した形状の外周壁４２とを備えており、底板４０には、開口２０が設けられている。開口２０は、ディスクメディア１２のセンター孔１２Ａの外径よりも大径で、かつチャッキングエリア１２Ｃの外径（記録面１２Ｂの内径）よりも若干小径とされた略円形状のハブ孔２０Ａと、ハブ孔２０Ａの左右方向に沿う中心線よりも前方に連設された略矩形状の記録再生ヘッド用窓部２０Ｂと、で構成され、全体として前方に開口する略Ｕ字状に形成されている。なお、ハブ孔２０Ａと記録再生ヘッド用窓部２０Ｂの形状は、これに限定されるものではなく、互いに独立して設けられてもよい。
【００４９】
何れにしてもハブ孔２０Ａは、上シェル２６と下シェル２８とが接合された状態で、収容されたディスクメディア１２と略同軸となるように配置されている。そして、ハブ孔２０Ａは、上記寸法とされることで、不使用時において、センター孔１２Ａ及びチャッキングエリア１２Ｃのみを外部に露出し、記録面１２Ｂを外部に露出しない構成とされている。また、記録面１２Ｂを露出するための記録再生ヘッド用窓部２０Ｂは、その左縁がハブ孔２０Ａの前後方向に沿う接線よりも左方に位置するように拡幅されており、その前部は外周壁４２を切り欠いて前方に開口している。
【００５０】
ハブ孔２０Ａにはドライブ装置の回転スピンドル軸が進入可能となっており、ハブ孔２０Ａを通じてディスクメディア１２のセンター孔１２Ａを係合保持しつつ、ディスクメディア１２を回転駆動するようになっている。そして、記録再生ヘッド用窓部２０Ｂには、ドライブ装置の記録再生ヘッドが進入して、ディスクメディア１２の記録層１５（図４参照）に対し、情報の記録又は再生を行うようになっている。なお、このとき、記録再生ヘッド用窓部２０Ｂが前方にも開口していることから、記録再生ヘッドは、記録面１２Ｂの外周縁部まで容易にアクセス可能となっている。
【００５１】
一方、底板４０の後部側内面には、一対のボス４４、４６が所定間隔を隔てて突設されている。左側のボス４４は平面視円形状に形成され、右側のボス４６は左右方向が長い平面視楕円形状に形成されている。このボス４４、４６には、位置決め孔４４Ａ、４６Ａが穿設されており、この位置決め孔４４Ａ、４６Ａにドライブ装置の位置決めピン（図示省略）が挿入されることにより、ディスクカートリッジ１０のドライブ装置内での位置決めがなされるようになっている。
【００５２】
また、底板４０には、後述するインナーロータ１６を内側に収容して回動可能に保持するリブ状の内壁５０が立設されている。この内壁５０は、平面視でインナーロータ１６よりも若干大径とされた不連続な円弧状に形成されている。記録再生ヘッド用窓部２０Ｂの左右両縁部の前端には、それぞれ前端が外周壁４２に連設し後端が内壁５０に連設する防塵リブ４８が立設されている。なお、防塵リブ４８及び内壁５０の高さは、インナーロータ１６の環状壁部６２の高さと同等とされている。
【００５３】
また、右側の外周壁４２には、上シェル２６の外周壁３２に形成された切欠部３２Ａに対応した略矩形状の切欠部４２Ａが形成されており、上シェル２６と下シェル２８とを互いの外周壁３２、４２の端面を突き当てた状態で、ビス止めや超音波溶着等によって接合してケース１４を形成した際、インナーロータ１６の操作突起７２を突出させるシャッター操作窓５２が形成される構成である。
【００５４】
なお、このシャッター操作窓５２はケース１４の右壁側に設けられるものに限定されるものではなく、ドライブ装置との関係やインナーロータ１６及び第２シャッター部材１８の形状等により、適宜その配設位置は変更される。
【００５５】
また、底板４０の後部側内面には、上シェル２６に突設された軸押さえ３６と対をなして、後述するディスク押さえ２４の軸部８６を回動自在に支持する軸受け５６が所定間隔を隔てて突設されている。この軸受け５６は、軸部８６と平行な所定高さの突条部５６Ａと、その突条部５６Ａの前後に形成された段部５６Ｂ、５６Ｃと、を有しており、段部５６Ｂ、５６Ｃは、例えば前側の段部５６Ｂが低く、後側の段部５６Ｃが高く形成されている。
【００５６】
一方、上シェル２６に形成された軸押さえ３６は、側面視半円弧状に形成された底部３６Ａと、底部３６Ａから連続して直線状に形成された前壁部３６Ｂ及び後壁部３６Ｃとを有し、かつ、その前壁部３６Ｂと後壁部３６Ｃの高さが異なるように、例えば前壁部３６Ｂが後壁部３６Ｃよりも高くなるように形成されている。
【００５７】
軸受け５６は、軸押さえ３６の前壁部３６Ｂと後壁部３６Ｃ間に挿入可能となっており、軸押さえ３６を軸受け５６に対向させて、前壁部３６Ｂの端面を段部５６Ｂに当接させ、後壁部３６Ｃの端面を段部５６Ｃに当接させたときに（上シェル２６を下シェル２８に被せてケース１４を組み立てたときに）、底部３６Ａと突条部５６Ａとの間にディスク押さえ２４の軸部８６を回動可能に保持できる空間が形成されるようになっている。
【００５８】
その他、底板４０の内面には、インナーロータ１６の下面に突設された係合突起６８が係合する凹部５４、５５が所定間隔を隔てて形成されている。この凹部５４、５５は、互いに対向する側が緩やかな傾斜面となるように形成されている。そして、底板４０の内面で、かつ凹部５４、５５よりも前部側には、後述するディスク受け２２を底板４０に対して上下動可能に支持する一対のガイドピン５８が所定間隔を隔てて突設されている。
【００５９】
次に、インナーロータ１６と第２シャッター部材１８について説明する。
【００６０】
図３に示すように、インナーロータ１６及び第２シャッター部材１８は、下シェル２８の底板４０上に設けられ、インナーロータ１６はディスクメディア１２と同軸的に設けられており、第２シャッター部材１８はインナーロータ１６とは異なる軸回りに回動可能に設けられている。
【００６１】
そして、このインナーロータ１６と第２シャッター部材１８とが互いに反対方向に回動することにより、記録再生ヘッド用窓部２０Ｂが開閉されるようになっており、記録再生ヘッド用窓部２０Ｂの開放時に、ディスクメディア１２の記録面１２Ｂの一部が外部に露出することにより、ドライブ装置の記録再生ヘッドによるアクセスが可能となる構成である。
【００６２】
インナーロータ１６は、上シェル２６のディスク開口部３５の内周壁３４と共に、ディスクメディア１２を収容可能な収容部５７を構成しており、ディスクメディア１２の記録面１２Ｂと所定の間隙を有して対面する第１シャッター６０と、ディスクメディア１２を内側に収容可能とする環状壁部６２と、で構成されている。
【００６３】
環状壁部６２は、ケース１４を組み立てたときに、下シェル２８の内壁５０の内側に位置し、上シェル２６の内周壁３４の外側に回動可能に配置されるようになっており、環状壁部６２の上端が上シェル２６（天板３０）によって被覆される。
【００６４】
第１シャッター６０の内面には、ディスクメディア１２の外周縁部を下方から支持するように上方に向けて隆起した外周受け部６４が、環状壁部６２に沿って突設している。また、第１シャッター６０には開口部６１が形成されている。
【００６５】
この開口部６１は、下シェル２８のハブ孔２０Ａに対応する平面視円弧状の切欠部６０Ａと、環状壁部６２の所定位置、即ち開口２０の開放時（図１３参照）に記録再生ヘッド用窓部２０Ｂと対応する部分に、外周受け部６４を含んで略矩形状に切り欠かれた切欠部６２Ａと、を備えており、切欠部６０Ａの内周縁部には、ディスクメディア１２のチャッキングエリア１２Ｃの外周縁部を下方から支持する平面視円弧状の内周受け部６６が突設されている。
【００６６】
また、開口部６１の右側に位置する切欠部６０Ａと切欠部６２Ａとの間は、記録再生ヘッド用窓部２０Ｂの開放時、記録再生ヘッド用窓部２０Ｂの右端縁よりも外方側に拡開する（図１３参照）平面視円弧状とされ、記録再生ヘッド用窓部２０Ｂが閉塞した状態（図８参照）で、第２シャッター部材１８と突き当たる突当部６５が設けられている。
【００６７】
さらに、開口部６１の左側には、切欠部６０Ａと連通する切欠部６３が形成されている（後述する）。この切欠部６３側の外周受け部６４の下面の所定位置には、第２シャッター部材１８をインナーロータ１６と連動して移動させるための係合突起６８が突設されている（後述する）。
【００６８】
一方、環状壁部６２の上面の所定位置には、ディスク押さえ２４を所定高さ持ち上げるための凸部７０が突設されており、環状壁部６２の外周面の所定位置には、シャッター操作窓５２から突出する操作突起７２が径方向に向かって突設されている。また、環状壁部６２の上面で、切欠部６２Ａよりも左側の所定位置には、後述するディスク受け２２と係合するカム段部６２Ｃが形成されている。
【００６９】
第２シャッター部材１８は、下シェル２８の左側に突設されたボス４４の外周に挿嵌される孔部７４Ａを有するボス７４を有しており、ボス４４を中心に回動可能となるように構成されている。つまり、ボス４４が第２シャッター部材１８の回動支点となっている。そして、第２シャッター部材１８のボス７４とは反対側の端面が、インナーロータ１６の突当部６５に面接する平面視円弧状の突当部７５とされている。
【００７０】
また、第２シャッター部材１８には、ハブ孔２０Ａに対応する平面視円弧状の切欠部１８Ａが形成されており、切欠部１８Ａの内周縁部には、記録再生ヘッド用窓部２０Ｂの閉塞時に、インナーロータ１６の内周受け部６６の側面と当接することにより、所定高さの環状凸部６７を構成する平面視円弧状の内周受け部７６が突設されている（図８参照）。
【００７１】
このように、環状凸部６７を構成する内周受け部６６、７６によって、ディスクメディア１２の内周縁部が下方から支持される。すなわち、記録再生ヘッド用窓部２０Ｂの閉塞時に、ディスクメディア１２のチャッキングエリア１２Ｃの外周縁に内周受け部６６、７６が当接し、ディスクメディア１２の外周縁部に外周受け部６４が当接することで、記録再生ヘッド用窓部２０Ｂの閉塞時に、ハブ孔２０Ａを通じて記録面１２Ｂへ塵埃或いは水分等が進入しないように防止することができる。
【００７２】
さらに、第２シャッター部材１８の所定位置には、平面視略「く」字状の細長いガイド孔７８が穿設されている。このガイド孔７８に、インナーロータ１６の係合突起６８が挿入されて係合することにより、第２シャッター部材１８がインナーロータ１６と協働して、互いに反対方向へ回動可能となる。
【００７３】
なお、内周受け部７６の上面は、インナーロータ１６の第１シャッター６０の内面よりも突出しているため、インナーロータ１６の第１シャッター６０には、内周受け部７６の移動軌跡に合わせて切欠部６３を形成している。これにより、第２シャッター部材１８の移動を許容している。また、係合突起６８は、ガイド孔７８を突き抜けて凹部５４、５５内に挿入されるようになっている。つまり、係合突起６８の突出高さは、第２シャッター部材１８の板厚よりも高くなっている。
【００７４】
次に、ディスク受け２２について説明する。
【００７５】
図３に示すように、ディスク受け２２は、切欠部６２Ａを形成したことにより、外周受け部６４の一部が無くなったのを補うためのもので、記録再生ヘッド用窓部２０Ｂの閉塞時に、切欠部６２Ａを閉塞するように架橋される。具体的には、内側に環状壁部６２を収容可能な断面視略「コ」字状に形成され、平面視で環状壁部６２と曲率が同一の円弧状となるように形成されている。
【００７６】
また、ディスク受け２２の両端部には、下シェル２８に突設されたガイドピン５８が係合する一対の係合溝（図示省略）が形成されており、ガイドピン５８に沿ってディスク受け２２が上下動可能となっている。
【００７７】
さらに、このディスク受け２２は、図６で示すように、インナーロータ１６の回動に伴って上下動するように、その上壁２２Ａの下面左端部に、カム段部６２Ｃと係合するカム突起２２Ｃが形成されている。
【００７８】
したがって、記録再生ヘッド用窓部２０Ｂの閉塞時（図６（Ａ）参照）には、カム突起２２Ｃが環状壁部６２の上面に支持されることにより、ディスク受け２２は上昇位置にあって切欠部６２Ａを閉塞する。そして、ディスク受け２２の下壁２２Ｂが、欠けている外周受け部６４の一部を補い、ディスクメディア１２の外周縁部を、外周受け部６４と共に支持する。
【００７９】
一方、記録再生ヘッド用窓部２０Ｂの開放時（図６（Ｄ）参照）には、カム突起２２Ｃがカム段部６２Ｃに係合することにより、ディスク受け２２は下降し、インナーロータ１６との衝突を回避し、インナーロータ１６の移動（回動）を許容する。
【００８０】
なお、ディスク受け２２の下壁２２Ｂの左端部には、上向きのテーパー面が形成され、外周受け部６４の切欠部６２Ａの左辺縁部に臨む端部には、下向きのテーパー面が形成されている。したがって、インナーロータ１６の回動に伴なって、外周受け部６４は、その下壁２２Ｂ上に容易に乗り上げられる構成である。また、下壁２２Ｂの右端部にも、下向きのテーパー面が形成されており、外周受け部６４に形成された上向きのテーパー面と面接するようになっている。
【００８１】
次に、ディスク押さえ２４について説明する。
【００８２】
図３及び図７に示すように、ディスク押さえ２４は、開口２０が設けられている前部側と対向するケース１４の後部側に設けられ、ケース１４に対して回動可能に支持され所定間隔を隔てた一対のアーム部８２、８４と、アーム部８２、８４の先端に左右対称となるように連設され、ディスクメディア１２の非記録面１２Ｄの一部を被覆するように、そのディスクメディア１２の形状に沿った平面視略三日月型形状の押さえ部８０と、で構成されている。
【００８３】
押さえ部８０は、左右対称な平面視略三日月型形状とされることで、ディスクメディア１２のチャッキングエリア１２Ｃを回避するようになっており、ディスク開口部３５から進入して、上方からチャッキングエリア１２Ｃを保持するドライブ装置のチャッキング部材（図示省略）に干渉しないようになっている。
【００８４】
また、押さえ部８０は、先端部がディスクメディア１２の非記録面１２Ｄを押さえるが、その左右両端をディスクメディア１２側へ若干屈曲させて、ディスクメディア１２の外周縁部のみを押さえる構成にしてもよい。何れにしても、このディスク押さえ２４によって、ディスクメディア１２がディスク開口部３５から脱落しないように、かつ、保存時において収容部５７内でガタつかないように保持される（図７（Ａ）参照）。
【００８５】
一方、一対のアーム部８２、８４の後端には、左右内側方に向けて円柱状の軸部８６がそれぞれ突設されており、その軸部８６が下シェル２８の軸受け５６と、上シェル２６の軸押さえ３６との間に形成された空間内に回動可能に挿入されるようになっている。
【００８６】
一方（右側）のアーム部８４の内面（下面）には、コイルばね９０の他端に形成された略環状のフック９０Ｂを係止する係止ピン８８が突設されており、コイルばね９０の一端（フック９０Ａ）が天板３０の内面に突設された係止ピン３８に係止され、コイルばね９０の他端（フック９０Ｂ）が係止ピン８８に係止された状態で、ディスク押さえ２４は、このコイルばね９０によって、常時ディスクメディア１２側へ付勢されるようになっている。
【００８７】
また、他方（左側）のアーム部８２の内面は、インナーロータ１６の環状壁部６２の上面に突設された凸部７０が当接してディスク押さえ２４を押し上げる作用面となっている。ディスクメディア１２の動作時（回転時）には、アーム部８２の作用面が凸部７０に当接し、コイルばね９０の付勢力に抗してディスク押さえ２４が若干上昇位置に保持され、ディスクメディア１２の回転を許容する。
【００８８】
さらに、ディスクメディア１２をディスク開口部３５から取り出すときには、ディスク押さえ２４を人手によって後方に向かって回動させるが、このとき、ディスク押さえ２４は、その最大回動位置に一時的に保持されるように、コイルばね９０の付勢力及び取付位置が規定されている。
【００８９】
すなわち、ディスク押さえ２４が回動して、アーム部８２の外面（上面）が天板３０に形成された切欠部３０Ｂの後縁部に当接する最大回動位置にあるときには、図７（Ｃ）で示すように、コイルばね９０は、幅広に形成された切欠部３０Ｂ内に入り込んで、その付勢力が軸部８６を越えて矢印Ｆ方向へ向かうように、係止ピン８８の突設位置が規定されている。
【００９０】
このような構成により、ディスク押さえ２４は最大回動位置に一時的に保持される構成であり、これによって、ディスク押さえ２４は、ディスクメディア１２を保持する保存位置、ディスクメディア１２を回転可能とする動作位置、ディスクメディア１２を取出可能とする取出位置の３つの状態（姿勢）に保持可能とされている。また、このディスク押さえ２４は、図７（Ａ）、図７（Ｂ）で示すように、ディスクメディア１２を取り出す取出位置以外の位置（特に動作位置）において、側面視でケース１４（天板３０）の上面から突出しないように構成されている。
【００９１】
したがって、特に動作位置において、ディスク押さえ２４がケース１４（天板３０）の上面から突出してしまうものに比べて、ドライブ装置の更なる薄型化が図れる効果がある。また、ドライブ装置の装填口が縦型とされて（ディスクカートリッジ１０を縦にして装填して）、その姿勢で回転駆動させられる構成であっても、ディスクメディア１２の脱落を好適に防止できる効果がある。
【００９２】
また、ケース１４の後部側にディスク押さえ２４が設けられると、ディスクカートリッジ１０をドライブ装置へ装填するときに、そのディスクカートリッジ１０を把持するための把持部として利用することができるので好ましい。
【００９３】
さらに、このディスク押さえ２４は、上シェル２６を下シェル２８に被せてケース１４を組み立てるときに、軸部８６が軸受け５６及び軸押さえ３６によって回動可能に保持されるので、ケース１４の組立後は、そのケース１４からの分離は不可能である。つまり、ディスク押さえ２４がケース１４の組立後も、そのケース１４から容易に分離可能であると、ユーザーが誤って紛失するおそれがあるが、このディスク押さえ２４は、ケース１４を分解しない限り、そのケース１４からの分離は不可能なので、紛失するなどのトラブルは発生しない。
【００９４】
その他、このディスク押さえ２４の動作機能をユーザーに容易に認識させるために、少なくともそのディスク押さえ２４の上面に適宜文字やケース１４とは異なる色、模様等を形成してもよい。更に、ディスク押さえ２４の上面に、上記とは異なる何らかの識別用手段を形成して、ユーザーがディスク押さえ２４であることを容易に認識できるようにしてもよい。
【００９５】
以上のような構成のディスクカートリッジ１０において、次に、その作用について説明する。
【００９６】
図８〜図１３には、上シェル２６及びディスクメディア１２を取り除いた状態の平面図が示されている。図８に示すように、ディスクカートリッジ１０の不使用時（ディスクメディア１２の保存時）には、記録再生ヘッド用窓部２０Ｂがインナーロータ１６及び第２シャッター部材１８によって閉塞されている。
【００９７】
すなわち、インナーロータ１６と第２シャッター部材１８は、互いの突当部６５、７５を突き合せることで記録再生ヘッド用窓部２０Ｂを閉塞するようになっている。なお、この突当部６５、７５は互いに上下に重ね合わせ可能なようにテーパー面に形成されることが好ましく、この方がケース１４内への塵埃の侵入を確実に阻止することができる。
【００９８】
また、このとき、内周受け部６６、７６は、その側面が互いに当接することにより、環状に形成されている。そして、インナーロータ１６の係合突起６８は、第２シャッター部材１８のガイド孔７８の後端部側を貫通して下シェル２８の凹部５４（図３参照）に挿入されている。
【００９９】
更に、図６（Ａ）に示すように、記録再生ヘッド用窓部２０Ｂの閉塞時には、カム突起２２Ｃが環状壁部６２の上面に支持されることにより、ディスク受け２２は上昇位置にあって切欠部６２Ａを閉塞する。そして、ディスク受け２２の下壁２２Ｂが、欠けている外周受け部６４の一部を補い、ディスクメディア１２の外周縁部を、外周受け部６４と共に支持する。
【０１００】
したがって、図３及び図８に示すように、記録再生ヘッド用窓部２０Ｂの閉塞時には、ディスクメディア１２は、チャッキングエリア１２Ｃが内周受け部６６、７６により支持され、外周縁部が外周受け部６４及びディスク受け２２の下壁２２Ｂにより支持された状態で収容部５７内に収容される構成であり、これによって、記録面１２Ｂは完全に外部から遮断されることとなる。
【０１０１】
つまり、このディスクカートリッジ１０は、ディスク開口部３５が設けられていることにより、ディスクメディア１２の非記録面１２Ｄ側に塵埃等が付着することはあるが、不使用時には、インナーロータ１６及び第２シャッター部材１８によって記録再生ヘッド用窓部２０Ｂが閉塞されているので、記録面１２Ｂ側に塵埃等が付着することはなく、また水分等が侵入することはない。
【０１０２】
また、上シェル２６及びディスクメディア１２を取り付けた図１、図７（Ａ）で示すように、ディスクカートリッジ１０の不使用時（ディスクメディア１２の保存時）には、ディスク押さえ２４がディスクメディア１２の非記録面１２Ｄ側を押さえている。
【０１０３】
すなわち、押さえ部８０の左右先端が、ディスクメディア１２の非記録面１２Ｄ側におけるディスクメディア１２の外周縁部を押圧保持している。したがって、ディスクメディア１２はディスク開口部３５から脱落しないし、収容部５７内においてガタつくことがない。
【０１０４】
さて、このようなディスクカートリッジ１０をドライブ装置に装填して記録又は再生を行うが、ディスクカートリッジ１０はドライブ装置の装填口に装填されると、インナーロータ１６及び第２シャッター部材１８が回動して記録再生ヘッド用窓部２０Ｂが開放され、かつまた、位置決め孔４４Ａ、４６Ａに位置決めピン（図示省略）が挿入されて、ドライブ装置内での位置決めがなされる。
【０１０５】
そして、図３及び図９に示すように、ドライブ装置の開閉部材（図示省略）が、シャッター操作窓５２の前端側から突出している操作突起７２に係合し、その操作突起７２をケース１４の後方に向かって移動させると、インナーロータ１６が、ハブ孔２０Ａを中心に内壁５０に沿って時計方向に回動し始め、突当部６５、７５及び内周受け部６６、７６の側面が互いに離間し始める。
【０１０６】
次に、図６で示すように、ディスク受け２２のカム突起２２Ｃが環状壁部６２のカム段部６２Ｃと係合し始め、ディスク受け２２がガイドピン５８（図３参照）に沿って下降し始める。このとき、図９及び図１０に示すように、係合突起６８はガイド孔７８内を摺動し、第２シャッター部材１８がボス４４を中心に反時計方向へ回動し始める。
【０１０７】
また、このとき、凹部５４は少なくとも係合突起６８が出て行く摺動方向側が緩やかな傾斜面とされているので、インナーロータ１６の回動に伴って係合突起６８は凹部５４内からスムーズに外れて、下シェル２８の底板４０上を摺動し始める。つまり、ディスクメディア１２は、外周縁部が外周受け部６４に支持された状態で、第２シャッター部材１８の内周受け部７６がチャッキングエリア１２Ｃから離間する。
【０１０８】
ここで、係合突起６８は第２シャッター部材１８の板厚よりも高く形成されているので、インナーロータ１６の少なくとも係合突起６８付近は、その係合突起６８により、第２シャッター部材１８上及び下シェル２８の底板４０上から所定高さ上昇する。これにより、第２シャッター部材１８は、その内周受け部７６が記録面１２Ｂに接触することなく、反時計方向に回動可能となる。
【０１０９】
その後、更にインナーロータ１６が時計方向に回動し、それに伴って第２シャッター部材１８が反時計方向に回動することにより、記録再生ヘッド用窓部２０Ｂが開放され始める。そして、図１１に示すように、第２シャッター部材１８は、係合突起６８がガイド孔７８に形成された屈曲部７８Ａに到達した時点で、その反時計方向への回動が停止する。
【０１１０】
一方、インナーロータ１６は、図１２で示すように、第２シャッター部材１８の回動が停止した後も更に時計方向に回動し、それに伴って係合突起６８がガイド孔７８内を摺動する。そして、図１３で示すように、係合突起６８がガイド孔７８の前端部側に到達すると、記録再生ヘッド用窓部２０Ｂが完全に開放される。
【０１１１】
なお、このとき、操作突起７２は、シャッター操作窓５２の後端側に位置し、係合突起６８は、下シェル２８の凹部５５内に挿入される。この凹部５５も少なくとも係合突起６８が入って来る摺動方向側が緩やかな傾斜面とされているので、その係合突起６８はスムーズに凹部５５内に挿入される。
【０１１２】
また、これにより、インナーロータ１６（第１シャッター６０）は第２シャッター部材１８上及び下シェル２８の底板４０上に下降するが、このとき、すでにディスクメディア１２のセンター孔１２Ａ及びチャッキングエリア１２Ｃは、ハブ孔２０Ａから進入して来たドライブ装置の回転スピンドル軸とディスク開口部３５から進入してきたチャッキング部材によって保持（チャッキング）されて、ディスクメディア１２自体が回転許容位置まで上昇している（ディスクメディア１２の外周縁部が外周受け部６４から離間している）。したがって、ディスクメディア１２の記録面１２Ｂが、第２シャッター部材１８の内周受け部７６に接触することはない。
【０１１３】
また、このとき、図７（Ｂ）で示すように、環状壁部６２上に突設された凸部７０が、ディスク押さえ２４のアーム部８２の作用面に当接して、そのアーム部８２を上昇させている。つまり、ディスク押さえ２４を所定高さ上昇させて、押さえ部８０の先端をディスクメディア１２の非記録面１２Ｄ上から離間させている。したがって、ディスク押さえ２４がディスクメディア１２に干渉することはない。
【０１１４】
さらに、このディスク押さえ２４は、左右対称な平面視略三日月型形状に形成されているので、回転スピンドル軸に干渉することもない。すなわち、回転スピンドル軸がディスクメディア１２のセンター孔１２Ａ及びチャッキングエリア１２Ｃをチャッキング（保持）する際に、ディスク押さえ２４がそのチャッキング（保持）の妨げになるような不具合は起きない。
【０１１５】
何れにしても、こうして記録再生ヘッド用窓部２０Ｂが開放され、ディスク押さえ２４による押さえ（押圧保持）が解除されたディスクメディア１２は、回転スピンドル軸によって回転させられながら、記録再生ヘッド用窓部２０Ｂから進入して来たドライブ装置の記録再生ヘッドにより、記録層１５（図４参照）への情報の記録、又は記録層１５に記録された情報の再生が行われる。
【０１１６】
一方、ディスクカートリッジ１０をドライブ装置から取り出すときには、まず、図３に示す位置決め孔４４Ａ、４６Ａから位置決めピンが抜き出されて、ディスクカートリッジ１０のドライブ装置内での位置決めが解除される。そして、ドライブ装置の排出機構等（図示省略）によって、ディスクカートリッジ１０がドライブ装置の装填口から排出する方向への移動が始まる。
【０１１７】
すると、ドライブ装置の開閉部材が、シャッター操作窓５２の後端側から突出している操作突起７２をケース１４の前方に向かって移動させ、インナーロータ１６が、ハブ孔２０Ａを中心に内壁５０に沿って、図１３及び図１２における反時計方向に回動し始める。そして、ガイド孔７８の前端部側に位置していた係合突起６８が、ガイド孔７８に沿ってケース１４の後方側へ移動するとともに凹部５５（図３参照）から外れる。このとき、凹部５５の係合突起６８が出て行く摺動方向側は緩やかな傾斜面とされているので、係合突起６８はスムーズに凹部５５から外れる。
【０１１８】
そして、図１１及び図１０に示すように、インナーロータ１６が反時計方向に回動し、係合突起６８がガイド孔７８の屈曲部７８Ａを通過すると、第２シャッター部材１８が時計方向に回動し始める。このとき、既に回転スピンドル軸によるディスクメディア１２の保持（チャッキング）は解除されているが、係合突起６８は、凹部５５から外れて底板４０上を摺動しているので、インナーロータ１６の少なくとも係合突起６８付近は、所定高さ上昇している。したがって、第２シャッター部材１８の内周受け部７６が記録面１２Ｂに接触することはない。
【０１１９】
さらに、図９に示すように、インナーロータ１６が反時計方向に回動し、第２シャッター部材１８が時計方向に回動することにより、記録再生ヘッド用窓部２０Ｂが閉塞されて行くが、これに伴って、図６に示すように、カム段部６２Ｃにカム突起２２Ｃが係合し始め、ディスク受け２２がガイドピン５８に沿って上昇し始める。
【０１２０】
そして、図８で示すように、突当部６５に突当部７５が当接し、内周受け部６６の側面に内周受け部７６の側面が当接することにより、記録再生ヘッド用窓部２０Ｂが閉塞され、かつ切欠部６２Ａがディスク受け２２によって閉塞される。
【０１２１】
なお、このとき、係合突起６８が凹部５４（図３参照）内に、その傾斜面によってスムーズに挿入され、インナーロータ１６が所定高さ下降する。つまり、ディスクメディア１２は、外周縁部が外周受け部６４及びディスク受け２２の下壁２２Ｂによって支持され、チャッキングエリア１２Ｃが内周受け部６６、７６によって支持される。これにより、記録面１２Ｂが再度外部から遮断された状態となり、記録面１２Ｂへの塵埃等の付着が防止された状態となって、ディスクカートリッジ１０がドライブ装置の装填口から排出される。
【０１２２】
以上がディスクメディア１２をディスクカートリッジ１０ごとドライブ装置に装填する場合の作用であるが、ドライブ装置によっては、ディスクメディア１２のみを装填する場合もある。この場合には、ディスクカートリッジ１０からディスクメディア１２を取り出す。つまり、ユーザーがディスク押さえ２４をケース１４の後方へ向けて回動させ、ディスク開口部３５を完全に開放する。
【０１２３】
このとき、図７（Ｃ）に示すように、ディスク押さえ２４のアーム部８２の外面（上面）が切欠部３０Ａの後縁部に当接するまでディスク押さえ２４を回動させると、ディスク押さえ２４の位置（最大回動位置）が一時的に保持される。
【０１２４】
すなわち、ディスク押さえ２４が最大回動位置まで回動すると、一端（フック９０Ａ）が係止ピン３８に取り付けられ、他端（フック９０Ｂ）が係止ピン８８に取り付けられたコイルばね９０は、ディスク押さえ２４の回動に伴って、幅広に形成された切欠部３０Ｂ内に入り込み、軸部８６を下から上に越えるため、その付勢力は矢印Ｆ方向に働くようになる。
【０１２５】
したがって、ディスク押さえ２４は、その最大回動位置（ディスクメディア１２の取出位置）に一時的に保持可能となり、これによって、ディスク開口部３５からのディスクメディア１２の取り出しが容易にできる。
【０１２６】
なお、ディスクメディア１２を再度ケース１４内に収容する場合は、ディスク開口部３５からディスクメディア１２を挿入し、ディスク押さえ２４をケース１４の前方へ向けて回動させるが、このとき、ディスク押さえ２４をケース１４の前方へ向けて軽く押すことで、容易に回動させることができる。
【０１２７】
つまり、ディスク押さえ２４を軽く押すだけで、コイルばね９０が軸部８６を上から下へ簡単に越えるので、その付勢力は、すぐにディスク押さえ２４をディスクメディア１２側へ付勢するように働く。したがって、ディスク押さえ２４は、再度ディスクメディア１２を保持することが容易に可能となり、これによって、ディスクメディア１２のディスク開口部３５からの脱落及び収容部５７内でのガタつきが再度防止された状態となる。
【０１２８】
次に、本形態に係るディスクカートリッジの要旨について説明する。
【０１２９】
図１に示すように、ディスクメディア１２及びケース１４に、それぞれ製造履歴等の情報を有するＩＤ番号を記した（ＩＤマーク）ＩＤシール９２、９４を貼着すると共に、ディスクメディア１２のＩＤ番号とケース１４のＩＤ番号を一致させるようにすることで、ディスクメディア１２とケース１４とを一対一対応させることができる。
【０１３０】
ディスクメディア１２が記録可能な場合、特定の記録装置を保有するユーザ（専門業者やヘビーユーザ）が、ケース１４内に収納した状態でディスクメディア１２に情報を記録し、簡易的な再生装置を保有する一般的なユーザが、ディスクメディア１２に記録された情報を再生する場合がある。
【０１３１】
このように、ディスクメディア１２を使用するユーザが異なる場合、ディスクメディア１２をケース１４内に収納した状態でハンドリングすることが望まれるが、ケース１４によっては若干仕様も異なるため、ディスクメディア１２を収納していたケース１４以外のケース１４内にディスクメディア１２を収納してハンドリングした場合、ディスクメディア１２の記録／再生履歴が失われるなど品質維持が損なわれてしまう場合も考えられる。
【０１３２】
このため、ディスクメディア１２とケース１４とが対応しているか否か判断できるようにすることで、異なるケース１４内に、一旦取出されたディスクメディア１２を誤って再収納させることはなく、ディスクメディア１２に対応するケース１４内にディスクメディア１２を収納させることができるので、ケース１４内に収納させたディスクメディア１２をハンドリングする際において、ディスクメディア１２の記録／再生履歴などの品質を維持することができる。
【０１３３】
ここで、一致認識手段として、ＩＤ番号を用い、ディスクメディア１２とケース１４とで同じ番号にすることで、ディスクメディア１２とケース１４とを対応させることができ、また、ディスクメディア１２とケース１４とが対応していない場合も目視によってすぐに判断することができる。
【０１３４】
また、ディスクメディア１２の非記録面１２Ｄ側は、いわゆる印刷面側であり、ディスクメディア１２の表面となる。このため、ＩＤシール９２をディスクメディア１２の非記録面１２Ｄ側に貼着し、ＩＤシール９４を上シェル２６の天板３０の上面に貼着することで、ディスクメディア１２をケース１４内に収納するとき、或いは、ディスクメディア１２をケース１４内に収納させた状態でも、ディスクメディア１２とケース１４とが対応しているか否かを容易に確認することができる。
【０１３５】
なお、上記の実施形態では、一致認識手段として、ＩＤシール９２、９４にＩＤ番号を記し、ディスクメディア１２とケース１４とで同じ番号にすることで、ディスクメディア１２とケース１４とを一対一対応させたが、ディスクメディア１２とケース１４とが対応しているか否かを判断することができれば良いため、これに限るものではない。
【０１３６】
例えば、ＩＤシール９２、９４に代えて、図１４に示すように、ディスクメディア１２及びケース１４にそれぞれ外部から読取りが可能な半導体メモリ９６、９８を取り付けても良い。この半導体メモリ９６、９８には予めディスクメディア１２又はケース１４の識別データを記憶させておく。
【０１３７】
このように、半導体メモリ９６、９８を用いることで、ディスクメディア１２或いはケース１４の製造履歴などの情報量が多い場合でも情報を記憶することができる。また、ディスクメディア１２を収納したケース１４をドライブ装置に挿入する動作時に、ディスクメディア１２とケース１４とが対応しているか否かを自動的に判断することができる。
【０１３８】
また、ＩＤシール９２、９４を、それぞれディスクメディア１２の非記録面１２Ｄ側或いは上シェル２６の天板３０の上面に貼着したが、ディスクメディア１２とケース１４との一致認識ができれば良いため、この位置に限るものではない。特に、一致認識手段が半導体メモリ９６、９８により自動的に判断する場合、半導体メモリ９６、９８は目視できない位置に取り付けても良い。
【０１３９】
また、ここでは、異形のシャッター部材１８及びインナーロータ１６を互いに異なる方向に移動させて記録再生ヘッド用窓部２０Ｂを開閉するようにしたが、シャッター部材或いはインナーロータの形状や駆動機構等は本実施形態に限定されるものではない。例えば、一対のシャッター部材をインナーロータに支持させ、該インナーロータの回動に伴って互いに平行に移動しつつ開口を開閉する構成としても良い。
【０１４０】
さらに、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。
【図面の簡単な説明】
【０１４１】
【図１】本発明の実施形態に係るディスクカートリッジの外観を示す概略平面図である。
【図２】本発明の実施形態に係るディスクカートリッジのディスクメディアを除いた状態の斜視図である。
【図３】本発明の実施形態に係るディスクカートリッジの構成を示す分解斜視図である。
【図４】ディスクメディアの構成を示す断面図である。
【図５】本発明の実施形態に係るディスクカートリッジのディスク押さえの構成を示す分解斜視図である。
【図６】（Ａ）〜（Ｄ）は、本発明の実施形態に係るディスクカートリッジに設けられたディスク受けの動作説明図である。
【図７】（Ａ）〜（Ｃ）は、本発明の実施形態に係るディスクカートリッジに設けられたディスク押さえの動作説明図である。
【図８】本発明の実施形態に係るディスクカートリッジを構成する第１シャッター部材及び第２シャッター部材の動作説明図である。
【図９】本発明の実施形態に係るディスクカートリッジを構成する第１シャッター部材及び第２シャッター部材の動作説明図である。
【図１０】本発明の実施形態に係るディスクカートリッジを構成する第１シャッター部材及び第２シャッター部材の動作説明図である。
【図１１】本発明の実施形態に係るディスクカートリッジを構成する第１シャッター部材及び第２シャッター部材の動作説明図である。
【図１２】本発明の実施形態に係るディスクカートリッジを構成する第１シャッター部材及び第２シャッター部材の動作説明図である。
【図１３】本発明の実施形態に係るディスクカートリッジを構成する第１シャッター部材及び第２シャッター部材の動作説明図である。
【図１４】本発明の実施形態に係るディスクカートリッジの変形例を示す概略平面図である。
【符号の説明】
【０１４２】
１０  ディスクカートリッジ
１２  ディスクメディア
１４  ケース
１６  インナーロータ（第１シャッター、シャッター機構）
１８  第２シャッター部材（第２シャッター、シャッター機構）
２０  開口（ヘッド開口部）
２４  ディスク押さえ（押さえ部材）
２６  上シェル（ケース）
２８  下シェル（ケース）
３５  ディスク開口
９４  ＩＤシール（一致認識手段、ＩＤマーク）
９４  ＩＤシール（一致認識手段、ＩＤマーク）
９６  半導体メモリ（一致認識手段）
９６  半導体メモリ（一致認識手段）
【図１】
2005267784.tif 000003
【図２】
2005267784.tif 000004
【図３】
2005267784.tif 000005
【図４】
2005267784.tif 000006
【図５】
2005267784.tif 000007
【図６】
2005267784.tif 000008
【図７】
2005267784.tif 000009
【図８】
2005267784.tif 000010
【図９】
2005267784.tif 000011
【図１０】
2005267784.tif 000012
【図１１】
2005267784.tif 000013
【図１２】
2005267784.tif 000014
【図１３】
2005267784.tif 000015
【図１４】
2005267784.tif 000016